(57)【要約】【課題】路面の雪を単に移動するのではなく、路面に積雪した雪を完全に無くすことができる除雪装置を提供すること。【解決手段】本発明に係る除雪装置は、積雪の掻き寄せを行うオーガと、前記オーガで掻き寄せた雪に向けて熱風を供給する熱風供給手段と、前記オーガの後方に設けられ、オーガで掻き寄せた雪を輸送管に送り出すブロアと、前記輸送管に連結され、任意のマンホールまで延長可能に構成されたホースとを備えていることを特徴とする。【選択図】  図２
2004162369.tif 000002
【特許請求の範囲】
【請求項１】
積雪の掻き寄せを行うオーガと、
前記オーガで掻き寄せた雪に向けて熱風を供給する熱風供給手段と、
前記オーガの後方に設けられ、オーガで掻き寄せた雪を輸送管に送り出すブロアと、
前記輸送管に連結され、任意のマンホールまで延長可能に構成されたホースと
を備えていることを特徴とする除雪装置。
【発明の詳細な説明】
【０００１】
【発明の属する技術分野】
本発明は、オーガを備えた除雪装置に関する。
【０００２】
【従来の技術】
従来から、路面に積もった雪を除雪するための除雪装置は各種提案されており、その代表的なものとして、オーガとブロアとを備えた除雪装置がある。
このオーガとブロアとを備えた除雪装置は、前方の積雪を掻き寄せるオーガと、該オーガの後方に設けられオーガで掻き寄せた雪を投雪用ブロアによって側方に吹き上げるように構成されている（特許文献１及び２参照）。
【０００３】
【特許文献１】特開平０６−１５８６２０号公報
【特許文献２】特開平０９−１９５２３９号公報
【０００４】
【発明が解決しようとする課題】
しかし、上記した従来のオーガとブロアとを備えた除雪装置は、オーガによって掻き寄せた雪を側方に吹き上げるように構成されているので、単に路上にある雪を掻き寄せて吹き上げによって側方に移動しているに過ぎず、除雪後に路肩や歩道に雪が溜まってしまうという問題があった。
本発明は、従来の問題点を解決し、路面の雪を単に移動するのではなく、路面に積雪した雪を完全に無くすことができる除雪装置を提供することを目的としている。
【０００５】
【課題を解決するための手段】
本発明に係る除雪装置は、積雪の掻き寄せを行うオーガと、前記オーガで掻き寄せた雪に向けて熱風を供給する熱風供給装置と、前記オーガの後方に設けられ、オーガで掻き寄せた雪を輸送管に送り出すブロアと、前記輸送管に連結され、任意のマンホールまで延長可能に構成されたホースとを備えていることを特徴とするものである。
【０００６】
【発明の実施の形態】
以下、添付図面に示した一実施例を参照して本発明に係る除雪装置の実施の形態について説明していく。
【０００７】
図１は本発明に係る除雪装置を備えた除雪車の概略正面図、図２は図１における除雪車の除雪装置部分の概略上面図、図３は図１における除雪車の除雪装置部分の概略側面図を各々示している。
【０００８】
図１中、符号１は除雪車を示している。この除雪車１は、油圧シリンダによって可動するアーム２を備えており、このアーム２の先端には除雪装置が設けられている。
この除雪装置は、オーガ１０を備えている。オーガ１０は、オーガ軸１０ａに対して左右対称に板状体が螺旋状に巻き付けられ、不図示の駆動源によってオーガ軸１０ａを回転駆動させることにより、螺旋状に巻き付けられた板状体によって雪を軸１０ａの中央方向に掻き寄せるように構成されている。
前記オーガ１０は、その後方、上方及び両側がオーガハウジング１１によって覆われている。
【０００９】
オーガハウジング１０の上方には、オーガハウジング１０の中に熱風を吹き込むための３つの熱風供給手段が設けられている。
熱風供給手段の一つは、除雪車１のエンジンの排気管に接続された排気ガス供給ホース１２から成る。この排気ガス供給ホース１２は、その下流端がオーガハウジング１０の上面の幅方向略中央付近に接続され、オーガハウジング１０内に除雪車１のエンジン排気ガスを吹き込む。
熱風供給手段の残りの二つは、各々バーナー１３及びファン１４から成り、オーガハウジング１０の上面における前記排ガス供給ホース１２の両側に配置され、各ファン１４がオーガハウジング１０内にバーナー１３によって加熱された熱風を吹き込む。
前記熱風供給手段は、防熱カバー３３によって覆われている。
【００１０】
オーガハウジング１０の後方における幅方向略中央部分には、ブロア１５が設けられている。このブロア１５は、その前面がオーガハウジング１０の後面に形成された開口を介してオーガハウジング１０内に臨み、それ以外の部分は、ブロアケース１６によって覆われている。また、図２及び図３中、符号１７はブロアケース１６の後方に設けられたギヤボックスであり、このギヤボックス１７を介して不図示の駆動源によってブロア１５は回転駆動される。
【００１１】
前記ブロアケース１６には、輸送管１８の上流端が連結されており、この輸送管１８の下流端は、除雪装置の一側に配置された２本のホース１９，２０に連結されている。
前記２本のホース１９，２０は、各々ホースリール２１，２２に巻回されており、路肩に設けられたマンホール３０迄、必要に応じて自由に伸ばすことができるように構成されている。
前記ホースリール２１，２２は、各々その外周にスプロケット２１ａ，２２ａが形成されており、チェーン２３、スプロケット２４，２５、及びクラッチ２６を介してモータ２７で回転駆動するように構成されており、ホース１９，２０の引き出し及び巻き取りをモータ２７で行うことができるように構成されている。
【００１２】
最後に、上記したように構成された除雪装置の作用について、歩道の除雪を例に挙げて簡単に説明する。
車道３１上に除雪車１を配置した後、アーム２によって除雪装置を歩道３２上に配置する。
一般的に、積雪の少ない地域では、路肩に流した水が凍る程気温が低くなることは少ないので排水用のマンホールは約５０ｍ間隔で配置されているが、積雪の多い地方では、車道３１の路肩（車道３１と歩道３２の間）に、約２０ｍ間隔で排水用のマンホール３０が配置されている。そこで、除雪装置に設けられた２本のホース１９，２０を前後のマンホール３０迄伸ばして、その先端をマンホール３０内に各々入れておく。
この状態で除雪装置を駆動すると、オーガ１０で歩道３２上の雪をオーガ軸１０ａの中央に掻き集め始める。掻き集められた雪は、熱風供給手段１２，１３，１４によって供給された熱風により溶かされた後、ブロア１５によってブロアケース１６、輸送管１８、ホース１９，２０の順に送られ、最終的にマンホール３０内に排水される。
このように本発明に係る除雪装置によれば、路上の雪を溶かしてからマンホール内に排水するので、路上の雪を完全に排除することができる。
また、溶かした雪を直接マンホールに排水するので路肩や歩道で水が凍結することがない。
【００１３】
【発明の効果】
以上説明したように、本発明に係る除雪装置は、積雪の掻き寄せを行うオーガと、前記オーガで掻き寄せた雪に向けて熱風を供給する熱風供給手段と、前記オーガの後方に設けられ、オーガで掻き寄せた雪を輸送管に送り出すブロアと、前記輸送管に連結され、任意のマンホールまで延長可能に構成されたホースとを備えているので、従来の除雪装置のように、除雪した雪が路肩や歩道等の除雪面とは異なる場所に溜まってしまうことがなく、路面の雪を完全に排除することが可能になるという効果を奏する。
【図面の簡単な説明】
【図１】本発明に係る除雪装置を備えた除雪車の概略正面図である。
【図２】図１における除雪車の除雪装置部分の概略上面図である。
【図３】図１における除雪車の除雪装置部分の概略側面図である。
【符号の説明】
１  除雪車
２  アーム
１０  オーガ
１０ａ  オーガ軸
１１  オーガハウジング
１２  排気ガス供給ホース
１３  バーナー
１４  ファン
１５  ブロア
１６  ブロアケース
１７  ギヤボックス
１８  輸送管
１９  ホース
２０  ホース
２１  ホースリール
２１ａ  スプロケット
２２  ホースリール
２２ａ  スプロケット
２３  チェーン
２４  スプロケット
２５  スプロケット
２６  クラッチ
２７  モータ
３０  マンホール
３１  車道
３２  歩道
３３  防熱カバー
【図１】
2004162369.tif 000003
【図２】
2004162369.tif 000004
【図３】
2004162369.tif 000005